(57)【要約】【課題】集塵装置の第１分離部での塵埃の分離性能を向上した電気掃除機を提供する。【解決手段】集塵装置は、電動送風機の駆動により吸い込まれた含塵空気から塵埃を遠心分離する第１分離部43を備える。第１分離部43は、カップ部51と、筒状の内筒部71と、筒状のシェード部72とを有する。内筒部71は、カップ部51の内方に位置し、外面71aとカップ部51の内面51aとの間に含塵空気を旋回させる風路77を形成する。内筒部71は、含塵空気の一部を電動送風機の吸込側へと通過させる開口75を備える。シェード部72は、内筒部71の下端部に設けられ、内筒部71よりも拡大されて下方に開口する。シェード部72は、カップ部51内にて風路77の下方に塵埃を溜める第１集塵部を区画する。シェード部72は、内方の空気をカップ部51の内面51a側に向けて傾斜状に風路77へと通過させる通気開口83を備える。【選択図】図１
2017158805.tif 000002
【特許請求の範囲】
【請求項１】
電動送風機を備えた本体ケースと、
この本体ケースに設けられた集塵装置とを具備し、
前記集塵装置は、前記電動送風機の駆動により吸い込まれた含塵空気から塵埃を遠心分離する遠心分離部を備え、
前記遠心分離部は、
カップ部と、
このカップ部の内方に位置し、外面とこのカップ部の内面との間に含塵空気を旋回させる風路を形成するとともに、含塵空気の一部を前記電動送風機の吸込側へと通過させる開口を備えた筒状の内筒部と、
この内筒部の下端部に設けられ、この内筒部よりも拡大されて下方に開口し、前記カップ部内にて前記風路の下方に塵埃を溜める溜め部を区画する筒状のシェード部とを有し、
前記シェード部は、内方の空気を前記カップ部の内面側に向けて傾斜状に前記風路へと通過させる通気開口を備えている
ことを特徴とした電気掃除機。
【請求項２】
集塵装置は、遠心分離部を通過した空気から、この遠心分離部で分離しなかった塵埃を遠心分離する下流側遠心分離部を備えている
ことを特徴とした請求項１記載の電気掃除機。
【請求項３】
内筒部は、開口を備えない非開口部をシェード部と隣接する下端部に備えている
ことを特徴とした請求項１または２記載の電気掃除機。
【発明の詳細な説明】
【技術分野】
【０００１】
本発明の実施形態は、電動送風機の駆動により吸い込まれた含塵空気から塵埃を遠心分離する遠心分離部を有する集塵装置を備えた電気掃除機に関する。
【背景技術】
【０００２】
従来、例えば電動送風機に用いられる集塵装置として、含塵空気を内部で旋回させることにより塵埃を遠心分離(サイクロン分離)する、いわゆるサイクロン分離式のものが知られている。このようなサイクロン分離式の集塵装置は、有底円筒状のカップ部の内方に、円筒状の内筒部と、この内筒部の下端部に拡径されて設けられた円筒状のシェード部とが、カップ部と同心状に配置され、カップ部の内周面と内筒部の外周面との間に、電動送風機の駆動により吸い込んだ含塵空気を旋回させる風路を形成する遠心分離部を備えている。そして、風路を旋回した含塵空気から塵埃が遠心分離され、カップ部の内周面に沿って落下してカップ部の底部に溜められるとともに、この塵埃が分離された空気が、内筒部の周面に開口された開口部に配置されたフィルタを通過して下流側へと通過するようになっている。
【０００３】
また、シェード部は、通気開口とこの通気開口に取り付けられた圧縮フィルタとを備えており、風路からの空気の一部を通気開口に通過させることで、カップ部の底部に溜められた塵埃をシェード部の内部で圧縮している。
【０００４】
しかしながら、シェード部の通気開口を通過した空気は、直上に位置する開口部へとそのまま吸い込まれることで、遠心分離部において特に細塵を充分に分離できない場合があり、細塵を分離するための構成が遠心分離部の下流側に別途必要となる。
【先行技術文献】
【特許文献】
【０００５】
【特許文献１】特開２０１４−１４６５４号公報
【発明の概要】
【発明が解決しようとする課題】
【０００６】
本発明が解決しようとする課題は、集塵装置の遠心分離部での塵埃の分離性能を向上した電気掃除機を提供することである。
【課題を解決するための手段】
【０００７】
実施形態の電気掃除機は、電動送風機を備えた本体ケースと、この本体ケースに設けられた集塵装置とを有する。集塵装置は、電動送風機の駆動により吸い込まれた含塵空気から塵埃を遠心分離する遠心分離部を備える。遠心分離部は、カップ部と、筒状の内筒部と、筒状のシェード部とを有する。内筒部は、カップ部の内方に位置し、外面とこのカップ部の内面との間に含塵空気を旋回させる風路を形成する。また、内筒部は、含塵空気の一部を電動送風機の吸込側へと通過させる開口を備える。シェード部は、内筒部の下端部に設けられ、内筒部よりも拡大されて下方に開口する。また、シェード部は、カップ部内にて風路の下方に塵埃を溜める溜め部を区画する。そして、シェード部は、内方の空気をカップ部の内面側に向けて傾斜状に風路へと通過させる通気開口を備える。
【図面の簡単な説明】
【０００８】
【図１】一実施形態の電気掃除機の集塵装置の一部を拡大して示す断面図である。
【図２】同上集塵装置の断面図である。
【図３】(a)は同上集塵装置の一部を示す斜視図、(b)は同上集塵装置のシェード部を示す平面図である。
【図４】同上電気掃除機の本体ケースを示す斜視図である。
【図５】同上電気掃除機の斜視図である。
【発明を実施するための形態】
【０００９】
以下、一実施形態の構成を図１ないし図５を参照して説明する。
【００１０】
図５において、11はいわゆるキャニスタ型の電気掃除機を示し、この電気掃除機11は、風路形成体である管部12と、この管部12が着脱可能に接続される掃除機本体13とを有している。
【００１１】
管部12は、掃除機本体13に接続される接続管部15と、この接続管部15の先端側に連通する可撓性を有するホース体16と、このホース体16の先端側に設けられた手元操作部17と、この手元操作部17の先端側に着脱可能に接続される延長管18と、この延長管18の先端側などに着脱可能に接続される吸込口体としての床ブラシ19とを備えている。
【００１２】
手元操作部17には、例えばループ状の把持部21がホース体16側へと突出し、この把持部21の上部には、操作設定用の設定ボタン22が複数設けられている。
【００１３】
また、掃除機本体13は、大径の走行輪23を両側に有し図示しない旋回輪などを下部に有する本体ケース26を備え、この本体ケース26の外部である上部には、集塵カップである集塵装置27が着脱可能となっている。そして、掃除機本体13は、走行輪23および旋回輪によって被掃除面としての床面上を少なくとも前後方向に沿って走行(移動)可能に構成されている。なお、以下、前後方向および左右方向は、掃除機本体13(本体ケース26)の走行(移動)方向を基準とする。
【００１４】
本体ケース26は、例えば合成樹脂などにより形成されており、集塵装置27の後方に位置する本体部31と、この本体部31の前部下側に突設されて集塵装置27の下部を支持する集塵装置支持部としての突出受部32とを一体的に有している。そして、本体ケース26の内部には、これら本体部31と突出受部32とに亘って、側面視でＬ字状に屈曲した図示しない本体風路部が配置されている。
【００１５】
本体部31の両側には、走行輪23がそれぞれ回転自在に軸支されている。また、この本体部31の前部の上側には、掃除機本体13(本体ケース26)を把持するための例えばループ状のハンドル34が後方に向けて傾斜状に突設されている。また、この本体部31の内部には、電動送風機35、この電動送風機35の動作を制御する図示しない制御手段としての制御回路部、および、電動送風機35などに給電可能なコードリール装置、あるいは電池などの電源部が収容されている。
【００１６】
また、図４に示すように、本体部31の前部には、電動送風機35の吸込側に連通し本体ケース26に装着された集塵装置27(図２)の下流側に気密に接続される吸気開口部38と、集塵装置27の上流側に気密に接続される連通開口部39とが上下に位置して形成されている。そして、この本体部31の後部には、電動送風機35の排気を本体ケース26の外部へと排出する図示しない複数の排気孔が形成されている。
【００１７】
突出受部32の前面には、図５に示す管部12の接続管部15が接続される本体吸込口40が形成されており、この本体吸込口40が本体風路部の上流端の開口となっている。したがって、この本体吸込口40は、本体風路部を介して連通開口部39(図４)と連通し、この連通開口部39(図４)を介して集塵装置27の上流側と連通可能となっている。
【００１８】
電動送風機35は、設定ボタン22の操作に応じて、制御回路部により動作が制御されるものである。
【００１９】
一方、図２に示す集塵装置27は、風路的に、含塵空気が導入される導入口42と、この導入口42と連通する遠心分離部としての第１分離部(第１遠心分離部)43と、この第１分離部43を通過した空気を導く導風部44と、この導風部44と連通する下流側遠心分離部(細塵遠心分離部)としての複数の第２分離部(第２遠心分離部)45と、この第２分離部45を通過した空気を導く風路部46と、この風路部46の下流端を構成し空気が排出される排出口47とを備えている。そして、集塵装置27は、導入口42から導入された含塵空気から第１分離部43によって比較的大きい塵埃である粗塵D1と比較的小さい塵埃である細塵D2の一部とを分離し、この第１分離部43を通過した含塵空気を導風部44により各第２分離部45へと略均等に分散して導き、各第２分離部45によって残りの細塵D2を分離し、塵埃が分離された空気を、風路部46から排出口47を介して外部(電動送風機35の吸込側)へと排出するようになっている。
【００２０】
また、集塵装置27は、構造的に、第１本体部としての有底円筒状のカップ部51と、第２本体部としての分離本体部52とを着脱可能に備えている。そして、この集塵装置27は、本体ケース26に対して装着した状態で後側が本体部31の前部に嵌合して固定される。なお、以下、集塵装置27において、上下方向とは、集塵装置27の軸方向における一端側と他端側(図２中の一点鎖線Ｌの一端側である上側と他端側である下側)とをいうものとする。すなわち、集塵装置27における上下方向は、集塵装置27単体の状態での上下方向を基準とするものとし、本体ケース26に対して装着した状態での集塵装置27の上下方向とは必ずしも一致しない場合もある。
【００２１】
カップ部51は、有底円筒状のカップ本体部54と、このカップ本体部54の一端部である上端部に連続する区画部55とを一体的に備えている。
【００２２】
カップ本体部54は、例えば透光性を有する(透明な)合成樹脂などの部材により形成されており、内部に区画される溜め部としての第１集塵部57を外部から目視可能となっている。また、このカップ本体部54の後部には、導入口42を区画する角筒状の導入口区画部58が突設されている。さらに、このカップ本体部54の外部には、集塵装置27(カップ部51)を把持するための集塵装置取手部59(図５)が突設されている。
【００２３】
第１集塵部57は、第１分離部43で分離された粗塵D1を主として溜めるとともに、この粗塵D1に絡み付いた細塵D2の一部を溜めるものである。この第１集塵部57は、カップ部51内の下側に位置している。
【００２４】
区画部55は、カップ本体部54に対して拡径されている。また、この区画部55は、上端側の内周にカップ部51内の塵埃を廃棄するための塵埃廃棄口61を区画している。そして、この区画部55は、カップ部51に取り付けられた分離本体部52側が内部に圧接されることで、各第２分離部45で分離された細塵D2を溜める第２集塵部62を分離本体部52との間で区画可能である。すなわち、この第２集塵部62は、第１分離部43の上側の周囲で、かつ、集塵装置27内を通過する空気の流路の外方に位置している。そして、この第２集塵部62は、分離本体部52をカップ部51から取り外すことで第１集塵部57と連通し、内部に溜めた細塵D2を第１集塵部57へと落下させるようになっている。
【００２５】
一方、分離本体部52は、カップ部51の内部に挿入されてカップ部51との間に第１分離部43を構成する挿入部64と、この挿入部64の上部に位置し導風部44、第２分離部45および風路部46を内部に構成する本体65と、この本体65の下端部から挿入部64の周囲の位置で下方に向けて突出する壁部66とを有している。そして、本体65の上部および後部に亘って、集塵装置27を本体ケース26に係止するための係止装置としての集塵装置用クランプ67が設けられている。
【００２６】
挿入部64は、略円筒状の円筒部としての内筒部71と、この内筒部71の下端側に同軸状に配置されこの内筒部71に対して着脱可能な圧縮部である合成樹脂製のシェード部72とを備えている。そして、この第１分離部43は、カップ部51に分離本体部52を取り付けた状態でカップ部51のカップ本体部54内の中央部にこのカップ部51と同軸状に配置され、上下方向に沿って軸方向を有している。
【００２７】
内筒部71は、導風部44へと連通する開口75を周方向に複数備えており、これら開口75全体が例えばメッシュ状の分離フィルタ76によって覆われている。また、この内筒部71の外面(外周面)71aは、分離本体部52をカップ部51に取り付けた状態でカップ部51(カップ本体部54)の内面(内周面)51aとの間に、含塵空気を旋回させる風路77を区画する。そして、この内筒部71のシェード部72と隣接する下端部には、開口75の下方に位置して、円筒状の端枠部としての下枠部78が形成されている。すなわち、この内筒部71の下枠部78は、開口75を備えない非開口部である。
【００２８】
風路77は、カップ部51内の上側に位置している。すなわち、この風路77は、第１集塵部57よりも上方に位置している。
【００２９】
シェード部72は、カップ部51(カップ本体部54)内を上側の風路77と、下側の第１集塵部57とに上下に区画するとともに、電動送風機35の駆動により生じる負圧を利用して塵埃を圧縮するものである。このシェード部72は、内筒部71の下端部を閉塞してこの内筒部71の周縁から径方向へと鍔状に突出する円形状の天板部81と、この天板部81の外周縁から内筒部71と反対方向である下方に向けて突出する周板部82とを一体的に有し、下方に向けて開口している。したがって、このシェード部72は、内筒部71よりも径寸法が大きく、この内筒部71に取り付けられた状態でこの内筒部71に対して径方向に突出(拡大(拡径))しているとともに、カップ部51(カップ本体部54)よりも径寸法が小さい。また、このシェード部72は、カップ部51の底部に対して上方に離間されている。なお、このシェード部72は、内筒部71に対して、着脱可能としてもよい。
【００３０】
さらに、図１に示すように、シェード部72は、複数の通気開口83を備えている。これら通気開口83は、天板部81を厚さ方向に貫通して設けられている。すなわち、これら通気開口83は、内筒部71の外周よりも外方に位置している。また、これら通気開口83は、シェード部72(挿入部64)の軸方向に対して傾斜して形成されている。これら通気開口83の傾斜は、下側から上側に向けて外方、すなわちカップ部51の内面51aに向かう方向、換言すれば内筒部71から離間する方向となっている。このため、これら通気開口83は、シェード部72の内方の空気をカップ部51の内面51aに向けて(内筒部71から離間する方向に向けて)風路77へと通過させるように構成されている。
【００３１】
ここで、各通気開口83は、シェード部72の成形時に、このシェード部72を成形する成形型のキャビティ内に突出する円柱状のピンなどを天板部81に対して傾斜する方向に沿って配置することで形成される。そのため、各通気開口83の上端部および下端部は、それぞれシェード部72の径方向に沿って長軸を有する楕円形状となっている。さらに、これら通気開口83は、本実施形態では、天板部81の複数の領域のそれぞれに同じ方向に傾斜する通気開口83が複数配置されている。すなわち、シェード部72には、周方向に互いに略等間隔に配置された複数(例えば４つ)の通気領域84が天板部81に設定され(図３(a)および図３(b))、これら通気領域84毎に、同方向に向けて傾斜した通気開口83が複数ずつ配置されている。そして、通気開口83は、内筒部71の下端部、すなわち下枠部78に対してシェード部72の径方向に離間されて、シェード部72の外側寄りに配置されており、内筒部71の下端部(下枠部78)との間の天板部81は、通気開口83を有しない非通気領域85となっている。
【００３２】
また、図２に示す本体65は、導風部44を区画する区画壁部86と、第２分離部45を区画する分離部区画部87と、風路部46を区画する風路部区画部88とを備えている。
【００３３】
区画壁部86は、第２分離部45(分離部区画部87)の内方、すなわち径方向の中心側に位置している。すなわち、導風部44は、第２分離部45の内方に位置している。そして、この区画壁部86は、下端側から上端側へと縮径して形成されており、導風部44の風路面積を上流側から下流側へと絞るようになっている。
【００３４】
分離部区画部87は、第２分離部45の下端側を構成するコーン部91と、第２分離部45の上端側を構成する旋回部92とを備えている。
【００３５】
コーン部91は、上下方向に沿って軸方向を有し、上端側から下端側へと縮径する円筒状(截頭円錐状)に形成されている。
【００３６】
旋回部92は、コーン部91の上端部を覆って設けられている。この旋回部92は、コーン部91内へと含塵空気を導入する部分であり、それぞれ導風部44に対して並列に接続される。また、旋回部92の中心軸には、細長い円筒状の排気部93が一体に設けられている。この排気部93は、コーン部91内と連通して風路部区画部88と連結され、第２分離部45からの排気を風路部46へと排出するように構成されている。
【００３７】
そして、分離部区画部87は、分離本体部52の中心軸を中心としこの中心軸と交差(直交)する平面上に位置する例えばＣ字状の仮想的な円弧上に中心軸を位置させてそれぞれ配置されている。したがって、第２分離部45は、後部の左右方向の中心領域を除く位置に円弧状に配置されている。
【００３８】
風路部区画部88は、分離部区画部87の上方から区画壁部86の内方へと延びており、この区画壁部86と略二重管構造となっている。そのため、導風部44の内方に風路部46の一部が区画されている。また、この風路部区画部88は、後端側が後方に向けて筒状に形成され、最後部に位置する分離部区画部87，87間(第２分離部45，45間)から露出する後端部が排出口47となっている。
【００３９】
壁部66は、外側へと下方に向けて傾斜し、上部がコーン部91の下端部に対向している。この壁部66の先端部には、シール部材94が取り付けられている。このシール部材94は、分離本体部52をカップ部51に取り付けた状態で区画部55に圧接されて第２集塵部62を円周状(円弧状)に区画するようになっている。
【００４０】
集塵装置用クランプ67は、分離本体部52(集塵装置27)の上部に位置する操作用の操作ハンドル部96と、分離本体部52の後部の上側に位置し操作ハンドル部96の操作によって動作する係止部としての係止爪部97とを備えている。
【００４１】
係止爪部97は、集塵装置27を本体ケース26(図４)に装着する際に、この本体ケース26の本体部31の前部の吸気開口部38の上方に開口された係止受部としての係止開口98(図４)に挿入係合されることで集塵装置27を本体ケース26(図４)に係止するものであり、後方へと進出する方向に向けて付勢され、操作ハンドル部96を持ち上げ操作することで付勢に抗して前方へと退避するように構成されている。
【００４２】
次に、上記一実施形態による掃除動作を図１ないし図５を参照して説明する。
【００４３】
掃除を開始する際には、集塵装置27を本体ケース26に装着する。すなわち、集塵装置27を本体ケース26の突出受部32に載置して支持し、かつ、集塵装置用クランプ67の係止爪部97を本体ケース26の係止開口98に挿入係止することにより本体ケース26に対して集塵装置27を係止する。この結果、集塵装置27は、カップ部51のカップ本体部54の下端部(他端部)が突出受部32によって下方から支持される。また、導入口42および排出口47が本体ケース26の連通開口部39および吸気開口部38とそれぞれ気密に接続され、集塵装置27が電動送風機35の吸込側と本体吸込口40との間に気密に接続された状態で本体ケース26に装着される。この結果、集塵装置27は、軸方向を上下方向に沿わせた状態で位置する。なお、集塵装置27が本体ケース26に既に装着された状態である場合には、これらの操作は不要である。
【００４４】
この状態で、掃除機本体13(本体ケース26)の本体吸込口40に管部12を接続する。具体的に、管部12は、接続管部15を本体吸込口40に挿入接続するとともに、必要に応じて、手元操作部17の先端側に延長管18および床ブラシ19を順次接続する。この状態で、手元操作部17の設定ボタン22が掃除機本体13(本体ケース26)内の制御回路部などと電気的に接続される。なお、管部12が掃除機本体13に既に接続された状態である場合には、これらの操作は不要である。
【００４５】
そして、使用者は、コード導出口から電源コードを引き出して壁面などのコンセントに接続した後、把持部21を把持し、所望の設定ボタン22を操作することにより、電動送風機35の動作モードを設定する。制御回路部は、この設定された動作モードに対応して電動送風機35の入力を制御し、電動送風機35を設定された動作モードで起動する。
【００４６】
この電動送風機35の起動により生じた負圧は、吸気開口部38、排出口47、風路部46、第２分離部45、導風部44、第１分離部43、第１集塵部57、導入口42、連通開口部39、本体風路部および本体吸込口40を介して、管部12へと作用する。
【００４７】
そして、使用者は、この負圧の作用により、床ブラシ19、延長管18、あるいは手元操作部17の先端側から空気とともに塵埃を吸い込む。
【００４８】
この塵埃を含む空気、すなわち含塵空気は、管部12から本体吸込口40、本体風路部および連通開口部39を経由して導入口42へと導かれ、この導入口42から集塵装置27のカップ部51のカップ本体部54内へと吸い込まれる。
【００４９】
このカップ本体部54では、含塵空気は風路77を旋回することで、この含塵空気中の特に粗塵D1が遠心分離され、カップ部51の内面51aに沿って落下して第１集塵部57に溜められる。なお、この粗塵D1は、風路77からシェード部72へと、含塵空気の流れの一部によって運ばれ、シェード部72の各通気開口83に沿って含塵空気が通過することによりシェード部72内で圧縮される。このとき、各通気開口83が下端側から上端側へと外方に向けて傾斜していることにより、シェード部72の内方からこれら通気開口83を通過した空気は再度風路77に合流されることで、開口75を通過する前に繰り返し通気開口83を通過する(図１)。このため、シェード部72内に圧縮される粗塵D1自体がフィルタとなり、通気開口83を通過する含塵空気に含まれる細塵D2の一部が粗塵D1に絡み付いて除去され、第１集塵部57に溜められる。
【００５０】
粗塵D1および細塵D2の一部が分離された含塵空気は、内筒部71の開口75を通過する際に分離フィルタ76により濾過される。さらに、この分離フィルタ76を通過した含塵空気は導風部44へと運ばれる。そして、この含塵空気は、この導風部44において、徐々に流量が絞られて整流された後、各第２分離部45内へとそれぞれ分岐されて流入する。
【００５１】
これら第２分離部45において、含塵空気は、内周面に沿って旋回され、この含塵空気中の細塵D2が遠心分離され、コーン部91に沿って落下し、壁部66の傾斜により第２集塵部62へと導かれて溜められる。
【００５２】
そして、細塵D2が遠心分離された実質的に塵埃を含まない空気は、各第２分離部45の中央部から風路部46へと排気されて合流し、この風路部46によって流量が絞られつつ後方へと導かれて、排出口47から集塵装置27の外部へと排気される。
【００５３】
この後、この空気は、吸気開口部38を通過した後、電動送風機35へと吸い込まれ、この電動送風機35の内部を冷却しつつ通過して排気風となり、電動送風機35から排気孔を介して本体ケース26の外部へと排気される。
【００５４】
掃除が終了すると、使用者が所定の設定ボタン22を操作することで、制御回路部が電動送風機35の入力を低下させて電動送風機35を停止させる。
【００５５】
集塵装置27内に一定量の塵埃が溜まった場合には、使用者が集塵装置用クランプ67の操作ハンドル部96を持ち上げることで、係止爪部97を係止開口98から退避させ、集塵装置27を本体ケース26から取り外し、分離本体部52をカップ部51から取り外す。この結果、シール部材94の区画部55への密着が解除され、第２集塵部62に溜められた細塵D2が、カップ本体部54の内部の第１集塵部57へと落下移動し、この第１集塵部57内に溜められた粗塵D1の上側に降りかかってこの粗塵D1と混ざる。
【００５６】
この後、使用者は、集塵装置取手部59を把持してカップ部51をごみ箱などの廃棄位置へと運んだ後、上側を下方へと傾けるようにひっくり返すことで、カップ部51に圧縮された状態で溜まった粗塵D1およびこの粗塵D1と混ざった細塵D2が塵埃廃棄口61から同時にまとめて廃棄される。
【００５７】
以上説明した一実施形態によれば、通気開口83を介して風路77からシェード部72の内方へと空気を繰り返し巡回させ、第１分離部43において、粗塵D1だけでなく細塵D2をも効率よく分離できるので、第１分離部43での分離効率を向上できる。
【００５８】
また、第１分離部43を通過した空気から、この第１分離部43で分離しなかった塵埃を遠心分離する第２分離部45を備えることで、細塵D2が第１分離部43を仮に通過しても、第２分離部45において分離捕集できる。
【００５９】
さらに、内筒部71のシェード部72と隣接する下端部を、開口75を備えない非開口部である下枠部78とすることで、通気開口83を通過した空気が風路77に合流する際に開口75へと引き込まれにくく、より効率よく風路77へと巡回させることができる。
【００６０】
同様に、内筒部71の下端部と隣接するシェード部72の内周側の位置に非通気領域85を設けて、通気開口83を内筒部71の下枠部78から離間することで、通気開口83を通過した空気が風路77に合流する際に開口75へと引き込まれにくく、より効率よく風路77へと巡回させることができる。
【００６１】
また、通気開口83は、複数の通気領域84で纏めて同方向に傾斜するように開口させることで、シェード部72に通気開口83を成形する際の成形型のピンのスライド方向を纏めることができ、製造性を向上できる。
【００６２】
そして、第１分離部43での塵埃の分離効率が向上することにより、第２分離部45での塵埃の分離により生じる負荷を低減でき、第２分離部45をより簡素化したり、第２分離部45による吸込効率の低下を抑制したりすることができる。
【００６３】
なお、上記一実施形態において、第２分離部45は、含塵空気から細塵D2を濾過するフィルタなどでもよいし、第１分離部43および分離フィルタ76で粗塵D1および細塵D2を確実に分離できれば、設けなくてもよい。
【００６４】
また、通気開口83は、それぞれシェード部72の径方向に沿って傾斜するように開口させてもよい。
【００６５】
電気掃除機11としては、キャニスタ型に限らず、上下方向に長手状の掃除機本体13の下部に床ブラシ19を接続するアップライト型の電気掃除機や、掃除機本体13に対して延長管18を介して床ブラシ19を接続するスティック型の電気掃除機、あるいは床面を自律走行しつつ掃除をする自律走行型の電気掃除機(ロボットクリーナ)などでも適用できる。
【００６６】
本発明の一実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００６７】
11    電気掃除機
26    本体ケース
27    集塵装置
35    電動送風機
43    遠心分離部としての第１分離部
45    下流側遠心分離部としての第２分離部
51    カップ部
51a   内面
57    溜め部としての第１集塵部
71    内筒部
71a   外面
72    シェード部
75    開口
77    風路
78    非開口部である下枠部
83    通気開口
【図１】
2017158805.tif 000003
【図２】
2017158805.tif 000004
【図３】
2017158805.tif 000005
【図４】
2017158805.tif 000006
【図５】
2017158805.tif 000007